【手続補正書】
【提出日】平成20年1月23日(2008.1.23)
【手続補正１】
【補正対象書類名】特許請求の範囲
【補正対象項目名】全文
【補正方法】変更
【補正の内容】
【特許請求の範囲】
【請求項１】
支持部材と、
前記支持部材から延びて光ビームを放出するための送出端部で終端するほぼ剛性の部分を有する光ファイバと、
前記放出された光ビームを平行化するためのレンズと、
前記ほぼ剛性の部分が前記支持部材のところで前記光ファイバのピボット点のまわりにピボット回転するように該ほぼ剛性の部分に力を及ぼすための少なくとも１つのアクチュエータと、
を含むことを特徴とするアライメント装置。
【請求項２】
前記少なくとも１つのアクチュエータは、第１及び第２のアクチュエータを含み、
前記第１のアクチュエータは、前記ほぼ剛性の部分に対して第１の方向に第１の力を及ぼし、
前記第２のアクチュエータは、前記ほぼ剛性の部分に対して前記第１の方向と直交する第２の方向に第２の力を及ぼす、
ことを特徴とする請求項１に記載のアライメント装置。
【請求項３】
前記平行化された光ビームは、前記光ファイバが前記ピボット点のまわりにピボット回転する時に光学ピボット点のまわりにピボット回転することを特徴とする請求項１に記載のアライメント装置。
【請求項４】
前記ピボット点は、前記光学ピボット点に対して共役焦点であることを特徴とする請求項３に記載のアライメント装置。
【請求項５】
前記光学ピボット点に位置決めされた後焦点面を有し、前記平行化された光ビームを集束させるために配置された第２のレンズ、
を更に含むことを特徴とする請求項３に記載のアライメント装置。
【請求項６】
前記光ファイバの前記ほぼ剛性の部分は、該光ファイバの周りに同心円状に配置されて前記支持部材から延びるほぼ剛性のチューブ部材を含むことを特徴とする請求項１に記載のアライメント装置。
【請求項７】
前記チューブ部材は、球形の拡張部を含み、
前記少なくとも１つのアクチュエータは、前記球形の拡張部に力を及ぼして前記ほぼ剛性の部分をピボット回転させる、
ことを特徴とする請求項６に記載のアライメント装置。
【請求項８】
前記支持部材は、前記光ファイバの周りに同心円状に配置された第１のチューブ部材であり、
前記第１のチューブ部材の周りに同心円状に配置され、前記光ファイバの前記ほぼ剛性の部分に係合した第２のチューブ部材、
を更に含むことを特徴とする請求項１に記載のアライメント装置。
【請求項９】
前記第２のチューブ部材は、球状の拡張部を含み、
前記少なくとも１つのアクチュエータは、前記球状の拡張部に力を及ぼして前記ほぼ剛性の部分をピボット回転させる、
ことを特徴とする請求項８に記載のアライメント装置。
【請求項１０】
前記第２のチューブは、複数の孔を有するスクリーン部材を含み、
前記光ファイバは、前記複数の孔の１つを通って延びている、
ことを特徴とする請求項８に記載のアライメント装置。
【請求項１１】
粒子を捕捉するための重複する焦点域を備えた一対のレンズを有する光トラップに光ビームを送出するためのアライメント装置であって、
光ビームを発生させるための光源と、
支持部材と、
前記光ビームを受け取るための入力端部、及び
前記支持部材から延びて前記光ビームを放出するための送出端部で終端するほぼ剛性の部分、
を含む光ファイバと、
前記放出された光ビームを平行化するためのレンズと、
前記ほぼ剛性の部分が前記支持部材のところで前記光ファイバのピボット点のまわりにピボット回転するように該ほぼ剛性の部分に力を及ぼすための少なくとも１つのアクチュエータと、
を含むことを特徴とする装置。
【請求項１２】
前記少なくとも１つのアクチュエータは、第１及び第２のアクチュエータを含み、
前記第１のアクチュエータは、前記ほぼ剛性の部分に対して第１の方向に第１の力を及ぼし、
前記第２のアクチュエータは、前記ほぼ剛性の部分に対して前記第１の方向と直交する第２の方向に第２の力を及ぼす、
ことを特徴とする請求項１１に記載のアライメント装置。
【請求項１３】
前記平行化された光ビームは、前記光ファイバが前記ピボット点のまわりにピボット回転する時に光学ピボット点のまわりにピボット回転することを特徴とする請求項１１に記載のアライメント装置。
【請求項１４】
前記ピボット点は、前記光学ピボット点に対して共役焦点であることを特徴とする請求項１３に記載のアライメント装置。
【請求項１５】
前記レンズの対の一方のレンズは、後焦点面を含み、
前記後焦点面は、前記光学ピボット点に位置決めされている、
ことを特徴とする請求項１３に記載のアライメント装置。
【請求項１６】
前記レンズの対を通過した後の前記光ビームを集束させるためのリレーレンズと、
前記ピボット点に対する共役点で前記光ビームを受け取るように位置決めされた検出面を有する検出器と、
を更に含むことを特徴とする請求項１１に記載のアライメント装置。
【請求項１７】
前記光ファイバの前記ほぼ剛性の部分は、該光ファイバの周りに同心円状に配置されて前記支持部材から延びるほぼ剛性のチューブ部材を含むことを特徴とする請求項１１に記載のアライメント装置。
【請求項１８】
前記チューブ部材は、球形の拡張部を含み、
前記少なくとも１つのアクチュエータは、前記球形の拡張部に力を及ぼして前記ほぼ剛性の部分をピボット回転させる、
ことを特徴とする請求項１７に記載のアライメント装置。
【請求項１９】
前記支持部材は、前記光ファイバの周りに同心円状に配置された第１のチューブ部材であり、
前記第１のチューブ部材の周りに同心円状に配置され、前記光ファイバの前記ほぼ剛性の部分に係合した第２のチューブ部材、
を更に含むことを特徴とする請求項１１に記載のアライメント装置。
【請求項２０】
前記第２のチューブ部材は、球状の拡張部を含み、
前記少なくとも１つのアクチュエータは、前記球状の拡張部に力を及ぼして前記ほぼ剛性の部分をピボット回転させる、
ことを特徴とする請求項１９に記載のアライメント装置。
【請求項２１】
前記第２のチューブは、複数の孔を有するスクリーン部材を含み、
前記光ファイバは、前記複数の孔の１つを通って延びている、
ことを特徴とする請求項１９に記載のアライメント装置。
【請求項２２】
光のビームを送出して整合させる方法であって、
支持部材から延びて送出端部で終端するほぼ剛性の部分を含む光ファイバの該送出端部から光のビームを放出する段階と、
前記放出された光ビームを平行化する段階と、
前記ほぼ剛性の部分が前記支持部材のところで前記光ファイバのピボット点のまわりにピボット回転するように該ほぼ剛性の部分に力を及ぼす段階と、
を含むことを特徴とする方法。
【請求項２３】
前記力を及ぼす段階は、
前記ほぼ剛性の部分に対して第１の方向に第１の力を及ぼす段階と、
前記ほぼ剛性の部分に対して前記第１の方向と直交する第２の方向に第２の力を及ぼす段階と、
を含むことを特徴とする請求項２２に記載の方法。
【請求項２４】
前記平行化された光ビームは、前記光ファイバが前記ピボット点のまわりにピボット回転する時に光学ピボット点のまわりにピボット回転することを特徴とする請求項２２に記載の方法。
【請求項２５】
前記ピボット点は、前記光学ピボット点に対する共役焦点であることを特徴とする請求項２４に記載の方法。
【請求項２６】
前記光学ピボット点に配置された後焦点面を有する第２のレンズを使用して前記平行化された光ビームを集束させる段階、
を更に含むことを特徴とする請求項２４に記載の方法。
【請求項２７】
第３のレンズを使用して前記集束した光ビームを平行化する段階と、
リレーレンズを使用して前記第３のレンズからの前記光ビームを集束させる段階と、
前記ピボット点に対する共役点に配置された検出面を有する検出器を使用して、前記リレーレンズからの前記光ビームの光運動量を測定する段階と、
を更に含むことを特徴とする請求項２６に記載の方法。
【請求項２８】
前記光ファイバの前記ほぼ剛性の部分は、該光ファイバの周りに同心円状に配置されて前記支持部材から延びるほぼ剛性のチューブ部材を含み、
前記力を及ぼす段階は、前記ほぼ剛性のチューブ部材に力を及ぼす段階を含む、
ことを特徴とする請求項２２に記載の方法。
【請求項２９】
前記支持部材は、前記光ファイバの周りに同心円状に配置された第１のチューブ部材であり、
第２のチューブ部材が、前記第１のチューブ部材の周りに同心円状に配置されて前記光ファイバの前記ほぼ剛性の部分に係合し、
前記力を及ぼす段階は、前記第２のチューブ部材に力を及ぼす段階を含む、
ことを特徴とする請求項２２に記載の方法。